(57)【特許請求の範囲】
【請求項１】
建物躯体に立設した雄ねじの軸ボルトに、直に積み重なるよう複数の断層芯管を被嵌し、この断層芯管の外側に支柱本体を構成する複数に分断された外側管を被嵌し、上端の横架材には軸ボルトの通し孔を設け、その横架材と断層芯管との間においてコイルばねを軸ボルトに被嵌し、軸ボルトの上端にナットを締め付けることにより、上端の横架材を支柱本体に押し付けるとともに、コイルばねを断層芯管へ圧縮したことを特徴とする横架用支柱の立設装置。
【請求項２】
断層芯管と断層芯管との突き合う端面を相互に摺動可能な斜面に形成したことを特徴とする請求項１記載の横架用支柱の立設装置。
【請求項３】
支柱本体を構成する上記外側管を直に積み重ねられた断層芯管に被嵌するとともに、外側管と外側管との間に中途の横架材を挾み、中途の横架材には断層芯管の貫通孔をそれぞれ穿設し、これによって中途の横架材を横へ通しとなしてあり、そして、上端の横架材が手摺りの芯材であり、中途の横架材が横格子であることを特徴とする請求項１または２記載の横架用支柱の立設装置。
【発明の詳細な説明】
【０００１】
【産業上の利用分野】
この発明は、例えば鉄筋や鉄骨のコンクリート建造物のバルコニーや屋上等に手摺等を構築する場合における横架用支柱の立設装置に関する。
【０００２】
【従来の技術】
手摺支柱等の立設箇所がこのようにコンクリートであると、そのままでは支柱を立てることができないため、従来、支柱ベースやアンカーボルトを予め現場に施工される。その施工に関して、一本のアンカーボルトで支柱が支持され、この場合は、アンカーボルトに上下に長い芯金部材を通して上端でナットにより締付けられ、芯金部材に管状の支柱が挿入して止められる。
【０００３】
上端の手摺の取付けについては、支柱にはビスポケットが形成されており、その芯材を支柱の上端にビス止めされる。また、横格子の取付けについては、支柱の側面にＬ字形等の取付金具がビス止めされ、それに掛止してビス止めされる。
【０００４】
【発明が解決しようとする課題】
上記のような従来の横架用支柱の立設装置によれば、アンカーボルトを立てた位置に誤差があると、支柱を正規の位置に立てることができなく、また、アンカーボルトが傾斜していると、支柱を直立させることが困難であり、誤差のままで支柱がたてられると、横架材の並びが直線から見苦しく外れるという問題があった。
【０００５】
横架材のうち、上端の手摺については、支柱を通して長く架設されるが、その下の横格子については、支柱と支柱との間に挾まれて掛止されるため、デザイン的にすっきりとした通し状態が得られないという問題もあった。
【０００６】
この発明は、上記のような実情に鑑みて、ボルトの立設位置に誤差があったり、それが傾斜していても、管状支柱を正規の位置において直立に立てることのできる横架用支柱の立設装置を提供し、加えて、手摺等の下に位置する中途の横格子を通しに架設することのできる横架用支柱の立設装置を提供することを目的とした。
【０００７】
【課題を解決するための手段】
建物躯体に立設した雄ねじの軸ボルトに、直に積み重なるよう複数の断層芯管を被嵌し、この断層芯管の外側に支柱本体を構成する複数に分断された外側管を被嵌し、上端の横架材には軸ボルトの通し孔を設け、その横架材と断層芯管との間においてコイルばねを軸ボルトに被嵌し、軸ボルトの上端にナットを締め付けることにより、上端の横架材を支柱本体に押し付けるとともに、コイルばねを断層芯管へ圧縮して横架用支柱の立設装置を構成した。
【０００８】
加えて、断層芯管と断層芯管との突き合う端面を相互に摺動可能な斜面に形成すると、目的の達成により有効である。
【０００９】
さらに、支柱本体を構成する上記外側管を直に積み重ねられた断層芯管に被嵌するとともに、外側管と外側管との間に中途の横架材を挾み、中途の横架材には断層芯管の貫通孔をそれぞれ穿設し、これによって中途の横架材を横へ通しとなしてあり、そして、上端の横架材が手摺りの芯材であり、中途の横架材が横格子であることもある。
【００１０】
【作  用】
横架用支柱の立設装置を上記のように構成したから、支柱を立設する手順については、予め現場に立設されている軸ボルトに断層芯管を被嵌し、その積み上げをナットとコイルばねで弾力的に締め付け、これによって支柱本体を支持する融通性のある芯材となるので、軸ボルトの立設位置に誤差があったり、それに少し傾斜があっても、断層芯管が相互にずれるため、支柱が正規の位置において直立に立てることができる。
【００１１】
この場合、断層芯管が相互に突き合う端面が傾斜していると、その間の摺動による調整が望めるために、修正作業が容易且つ確実となる。また、支柱本体が横格子を挾む複数の外側管からなるので、横格子が通しとなり体裁が良好である。
【００１２】
【実施例】
次に、この発明の実施例を図面に基づいて説明する。
【００１３】
図面は、アルミ製の手摺において実施した一例を示したもので、パラペット１の上に支柱Ｐ，Ｐ，・・を立設し、それによって上端の手摺２と、その下に二列に配列される横格子３，３とがそれぞれ横架材として支持される。そして、支柱Ｐの本体が三本に分断され、それぞれが前記横架材の間に挾まれている。
【００１４】
支柱Ｐは、パラペット１の上に立設される雄ねじの軸ボルト５と、それに被嵌される複数の断層芯管７，７，７と、前記のように支柱本体が分断されてなる外側管９，９，９とからなり、軸ボルト５の上端にナット１１が螺合され、それによりコイルばね１３を介して弾力的に断層芯管７，７，７が締め付けられ、締付けによってその芯材としての強度が保持される。
【００１５】
パラペット１には笠木３２の内部においてベース材１５を介して取付金具１７が固定され、それに軸ボルト５を固定してパラペット１の上に立設される。なお、この固定については、取付金具１７にねじの掛止溝１９を設け、そこにナット２１が掛止される。また、軸ボルト５にはマットシーラー２３が挿入され、それが笠木３２の上に支柱Ｐで押圧される。
【００１６】
断層芯管７は、軸ボルト５を軸としてそれを挿入する管状であって、図３に示すように、前後左右の各側面に、外側管９の仕切壁２９，２９の内面及び前後壁の内面に対する係合溝２５，２５，・・が形成されている。これによって回転不能となっている。また、図１に示すように、他の断層芯管７と突き合う端面２７が相互に摺動可能に斜面に形成される。この摺動によって断層芯管７の位置および傾斜のずれが修正されるが、修正方向を均等化するために、上下端面２７，２７の傾斜方向を直角に変えてあり、回転不能によりこの方向は規制される。
【００１７】
外側管９は、前後に長い楕円形であって、内部に前後一対の仕切壁２９，２９を設けることによって、その間に断層芯管７の通し部が設けられ、その通し部の内面に断層芯管７の係合溝２５に嵌まる係合突条３３，３３，・・が形成される。
【００１８】
手摺２は、支柱Ｐの上端に固定される芯材３５に被着して取り付けられ、この芯材３５に軸ボルト５の通し孔３７が穿設される。そして、上端の断層芯管７と芯材３５との間にコイルばね１３が介在され、芯材３５よりも上においてナット１１が軸ボルト５に螺入される。
【００１９】
横格子３，３は、外側管９，９の間に挾まれやすいように、平たい楕円に近い断面の中空部材であって、内部に一対の左右縦壁４１，４１が形成され、その間に断層芯管７を通すようにその貫通孔４３が穿設されている。そこで、軸ボルト５の上端においてナット１１を締め付けると、それにより芯材３５が断層芯管７を下へ押し付けるために、芯材３５が固定されると同時に、横格子３，３が外側管９，９間に強く挾まれて固定される。また、コイルばね１３が圧縮されて断層芯管７，７，７が相互に圧接して保持される。
【００２０】
【発明の効果】
以上説明したように、この発明によれば、軸ボルトを軸として断層芯管が積み上げられ、その積み上げを芯材として支柱本体が支持されるので、仮に、軸ボルトの立設位置に誤差があったり少し傾斜していても、断層芯管の相互の位置ずれを伴わせて、支柱を正確な位置に直立に立てることができ、しかも、断層芯管の締付けが弾力的になされるので、修正作業が非常に容易であり、それを確実になすことができるという優れた効果がある。
【００２１】
殊に、断層芯管が相互に突き合う端面が傾斜していると、さらに、修正作業が容易且つ確実となる。また、支柱本体が横格子を挾む複数の外側管からなる場合、横格子が通しとなり体裁が良好である。
【図面の簡単な説明】
【図１】この発明の一実施例を示す手摺の分解斜視図である。
【図２】同組立て状態における側面から見た断面図である。
【図３】図２のＡ−Ａ線矢視の拡大断面図である。
【符号の説明】
Ｐ  支柱
１  建物躯体としてのパラペット
２  手摺
３  中途の横架材としての横格子
５  軸ボルト
７  断層芯管
９  支柱本体を構成する外側管
１１  ナット
１３  コイルばね
２７  断層芯管の傾斜端面
３５  上端の横架材としての手摺の芯材
３７  通し孔
４３  貫通孔
【図３】
0003589334.tif 000002
【図１】
0003589334.tif 000003
【図２】
0003589334.tif 000004